【手続補正書】
【提出日】令和1年12月24日(2019.12.24)
【手続補正１】
【補正対象書類名】特許請求の範囲
【補正対象項目名】全文
【補正方法】変更
【補正の内容】
【特許請求の範囲】
【請求項１】
媒体を支持する支持台と、
前記支持台に支持された前記媒体に対し印刷を行う印刷ヘッドと、
前記支持台に支持された前記媒体を切断するカッティングヘッドと、
印刷時に前記印刷ヘッドを前記媒体の幅方向である主走査方向に移動させ、カッティング時に前記カッティングヘッドを前記主走査方向に移動させる第１移動機構と、
印刷時に前記支持台に支持された前記媒体を前記印刷ヘッドに対し前記主走査方向に垂直な副走査方向に相対的に移動させ、カッティング時に前記支持台に支持された前記媒体を前記カッティングヘッドに対し前記副走査方向に相対的に移動させる第２移動機構と、
前記印刷ヘッド、前記第１移動機構、および前記第２移動機構を制御することにより、前記媒体に対して複数の画像および複数のクロップマークを印刷する印刷制御装置と、
前記カッティングヘッド、前記第１移動機構、および前記第２移動機構を制御することにより、前記媒体を切断するカッティング制御装置と、
前記クロップマークの位置を検出するクロップマーク検出装置と、
前記媒体に対して前記クロップマークを印刷する位置を入力するクロップマーク位置入力装置と、を備え、
前記印刷制御装置は、前記クロップマーク位置入力装置に入力された前記クロップマークを印刷する位置に前記クロップマークを印刷し、
前記カッティング制御装置は、カッティングの際に、前記クロップマーク検出装置により検出される前記クロップマークのうちの３つ以上の位置に基づいて、前記カッティングヘッドの位置決めを行う位置決め制御部を有する、
カッティング装置。
【請求項２】
前記クロップマーク位置入力装置に入力される前記クロップマークを印刷する位置は、前記複数の画像の全てを含む領域の外側に位置する第１の矩形領域が前記第１の矩形領域の外形線に平行な分割線によって分割された第２の矩形領域の頂点のうちの３つ以上の頂点である、
請求項１に記載のカッティング装置。
【請求項３】
前記クロップマーク位置入力装置に入力される前記クロップマークを印刷する位置は、互いに隣接する２つ以上の前記第２の矩形領域に共有される前記頂点を含む、
請求項２に記載のカッティング装置。
【請求項４】
前記クロップマーク位置入力装置は、前記副走査方向および前記主走査方向の少なくとも一方に関して、前記第２の矩形領域を構成する線同士の距離が入力される第１入力部を備え、
前記クロップマーク印刷部は、前記第２の矩形領域を構成する線同士の距離が前記第１入力部に入力された距離と同じになるように前記クロップマークを印刷するように設定されている、
請求項２または３に記載のカッティング装置。
【請求項５】
前記クロップマーク位置入力装置は、前記第２の矩形領域の内側に位置する画像の数が入力される第２入力部を備え、
前記クロップマーク印刷部は、前記第２の矩形領域の内側に位置する画像の数が前記第２入力部に入力された前記画像の数と同じになるように前記クロップマークを印刷するように設定されている、
請求項２〜４のいずれか一つに記載のカッティング装置。
【請求項６】
前記クロップマーク位置入力装置は、前記副走査方向および前記主走査方向の少なくとも一方に関して前記第２の矩形領域を構成する線同士の間に位置する画像の数が入力される第２入力部を備え、
前記クロップマーク印刷部は、前記第２の矩形領域を構成する線同士の間に位置する画像の数が前記第２入力部に入力された前記画像の数と同じになるように前記クロップマークを印刷するように設定されている、
請求項２〜４のいずれか一つに記載のカッティング装置。
【請求項７】
前記クロップマーク位置入力装置は、前記第２の矩形領域の数が入力される第３入力部を備え、
前記クロップマーク印刷部は、前記第２の矩形領域の数が前記第３入力部に入力された前記第２の矩形領域の数と同じになるように前記クロップマークを印刷するように設定されている、
請求項２〜６のいずれか一つに記載のカッティング装置。
【請求項８】
前記クロップマーク位置入力装置は、前記副走査方向および前記主走査方向の少なくとも一方に関して前記第１の矩形領域が前記分割線によって等分される数が入力される第３入力部を備え、
前記クロップマーク印刷部は、前記第１の矩形領域が前記分割線によって等分される数が前記第３入力部に入力された前記第１の矩形領域が等分される数と同じになるように前記クロップマークを印刷するように設定されている、
請求項２〜６のいずれか一つに記載のカッティング装置。
【請求項９】
前記クロップマーク位置入力装置は、前記第２の矩形領域の配置に基づいて前記画像の位置を補正する補正部を備えた、
請求項３〜８に記載のカッティング装置。
【請求項１０】
前記クロップマーク位置入力装置は、前記第２の矩形領域の配置が予め定められた不適合条件に当てはまるか否かを判定する判定部と、
前記判定部によって前記第２の矩形領域の配置が前記不適合条件に当てはまると判定されたとき警告を発する警告部と、を備えた、
請求項３〜９のいずれか一つに記載のカッティング装置。
【請求項１１】
前記複数の画像には、前記副走査方向の位置が異なる２つ以上の画像が含まれ、
前記クロップマーク位置入力装置に入力される前記クロップマークを印刷する位置は、
前記複数の画像の全てを含む領域の外側に位置する第１の矩形領域の第１の隅と、
前記第１の隅から前記主走査方向に離間した前記第１の矩形領域の第２の隅と、
前記第１の隅から前記副走査方向に離間した前記第１の矩形領域の第３の隅と、
前記第２の隅から前記副走査方向に離間するとともに前記第３の隅から前記主走査方向に離間した前記第１の矩形領域の第４の隅と、
前記第１の隅と前記第３の隅との間の１つまたは２つ以上の地点と、
前記第２の隅と前記第４の隅との間の１つまたは２つ以上の地点と、を含む、
請求項１に記載のカッティング装置。
【請求項１２】
複数の画像および複数のクロップマークが印刷された媒体を支持する支持台と、
前記支持台に支持された前記媒体を切断するカッティングヘッドと、
前記カッティングヘッドを前記媒体の幅方向である主走査方向に移動させる第１移動機構と、
前記支持台に支持された前記媒体を前記カッティングヘッドに対し前記主走査方向に垂直な副走査方向に相対的に移動させる第２移動機構と、
前記カッティングヘッド、前記第１移動機構、および前記第２移動機構を制御することにより、前記媒体を切断するカッティング制御装置と、
前記クロップマークの位置を検出するクロップマーク検出装置と、を備え、
前記複数の画像には、前記副走査方向の位置が異なる２つ以上の画像が含まれ、
前記複数のクロップマークには、
前記複数の画像の全てを含む領域の外側に位置する第１の矩形領域の第１の隅に印刷された第１クロップマークと、
前記第１の隅から前記主走査方向に離間した前記第１の矩形領域の第２の隅に印刷された第２クロップマークと、
前記第１の隅から前記副走査方向に離間した前記第１の矩形領域の第３の隅に印刷された第３クロップマークと、
前記第２の隅から前記副走査方向に離間するとともに前記第３の隅から前記主走査方向に離間した前記第１の矩形領域の第４の隅に印刷された第４クロップマークと、
前記第１の隅と前記第３の隅との間の１つまたは２つ以上の地点に印刷された他の１つまたは２つ以上のクロップマークと、
前記第２の隅と前記第４の隅との間の１つまたは２つ以上の地点に印刷された更に他の１つまたは２つ以上のクロップマークと、が含まれ、
前記カッティング制御装置は、カッティングの際に、前記クロップマーク検出装置により検出される前記複数のクロップマークのうちの３つ以上の位置に基づいて、前記カッティングヘッドの位置決めを行う位置決め制御部を有する、
カッティング装置。
【請求項１３】
媒体を支持する支持台と、
前記支持台に支持された前記媒体に対し印刷を行う印刷ヘッドと、
前記支持台に支持された前記媒体を切断するカッティングヘッドと、
印刷時に前記印刷ヘッドを前記媒体の幅方向である主走査方向に移動させ、カッティング時に前記カッティングヘッドを前記主走査方向に移動させる第１移動機構と、
印刷時に前記支持台に支持された前記媒体を前記印刷ヘッドに対し前記主走査方向に垂直な副走査方向に相対的に移動させ、カッティング時に前記支持台に支持された前記媒体を前記カッティングヘッドに対し前記副走査方向に相対的に移動させる第２移動機構と、
前記印刷ヘッド、前記第１移動機構、および前記第２移動機構を制御することにより、前記媒体に対して複数の画像および複数のクロップマークを印刷する印刷制御装置と、
前記クロップマークの位置を検出するクロップマーク検出装置と、
カッティングの際に前記クロップマーク検出装置により検出される前記クロップマークのうちの３つ以上の位置に基づいて前記カッティングヘッドの位置決めを行う位置決め制御部を有し、前記カッティングヘッド、前記第１移動機構、および前記第２移動機構を制御することにより前記媒体を切断するカッティング制御装置と、
前記カッティングヘッドの位置決めを行う頻度が入力される位置決め頻度入力装置と、を備え、
前記位置決め制御部は、前記位置決め頻度入力装置に入力された位置決めを行う頻度に基づいて前記カッティングヘッドの位置決めを行うように設定されている、
カッティング装置。
【請求項１４】
複数の画像およびクロップマークが印刷された媒体を支持する支持台と、
前記支持台に支持された前記媒体を切断するカッティングヘッドと、
前記カッティングヘッドを前記媒体の幅方向である主走査方向に移動させる第１移動機構と、
前記支持台に支持された前記媒体を前記カッティングヘッドに対し前記主走査方向に垂直な副走査方向に相対的に移動させる第２移動機構と、
前記クロップマークの位置を検出するクロップマーク検出装置と、
カッティングの際に前記クロップマーク検出装置により検出される前記クロップマークのうちの３つ以上の位置に基づいて前記カッティングヘッドの位置決めを行う位置決め制御部を有し、前記カッティングヘッド、前記第１移動機構、および前記第２移動機構を制御することにより前記媒体を切断するカッティング制御装置と、
前記カッティングヘッドの位置決めを行う頻度が入力される位置決め頻度入力装置と、を備え、
前記位置決め制御部は、前記位置決め頻度入力装置に入力された位置決めを行う頻度に基づいて前記カッティングヘッドの位置決めを行うように設定されている、
カッティング装置。
【請求項１５】
前記位置決め頻度入力装置は、前記カッティングヘッドが位置決めされてから次に位置決めされるまでの間にカッティングされる前記画像の数が入力されるＡ入力部を有し、
前記位置決め制御部は、前記Ａ入力部に入力された数だけ前記画像がカッティングされる毎に前記カッティングヘッドの位置決めを行うように設定されている、
請求項１３または１４に記載のカッティング装置。
【請求項１６】
前記位置決め頻度入力装置は、前記カッティングヘッドが位置決めされてから次に位置決めされるまでの間にカッティングされる前記副走査方向および前記主走査方向の少なくとも一方に関する前記画像の数が入力されるＢ入力部を有し、
前記位置決め制御部は、前記Ｂ入力部に入力された前記数だけ前記画像がカッティングされる毎に前記カッティングヘッドの位置決めを行うように設定されている、
請求項１３〜１５のいずれか１つに記載のカッティング装置。
【請求項１７】
前記位置決め頻度入力装置は、前記カッティングヘッドが位置決めされてから次に位置決めされるまでの間に前記媒体が前記副走査方向に移動される距離が入力されるＣ入力部を有し、
前記位置決め制御部は、前記Ｃ入力部に入力された距離だけ前記媒体が移動される毎に、前記カッティングヘッドの位置決めを行うように設定されている、
請求項１３〜１６のいずれか一つに記載のカッティング装置。
【請求項１８】
媒体に対してクロップマークを印刷する位置を入力する工程と、
前記媒体に対し複数の画像を印刷する工程と、
前記媒体に対し、前記入力されたクロップマークを印刷する位置に前記クロップマークを印刷する工程と、
クロップマーク検出装置により、前記クロップマークのうちの３つ以上の位置を検出する工程と、
前記クロップマーク検出装置により検出される前記クロップマークの位置に基づいてカッティングヘッドの位置決めを行う工程と、
位置決めされた前記カッティングヘッドにより、前記複数の画像のそれぞれに対し設定されたカット線に沿って前記媒体を切断する工程と、を含む、
カッティング方法。
【請求項１９】
前記クロップマークを印刷する位置は、前記複数の画像の全てを含む領域の外側に位置する第１の矩形領域が前記第１の矩形領域の外形線に平行な分割線によって分割された第２の矩形領域の頂点のうちの３つ以上の頂点である、
請求項１８に記載のカッティング方法。
【請求項２０】
媒体に対し画像を印刷する工程と、
前記媒体に対しクロップマークを印刷する工程と、
クロップマーク検出装置により、前記クロップマークのうちの３つ以上の位置を検出する工程と、
前記クロップマーク検出装置により検出される前記クロップマークの位置に基づいてカッティングヘッドの位置決めを行う工程と、
前記カッティングヘッドの位置決めを行う頻度を入力する工程と、を含み、
前記カッティングヘッドの位置決めを行う工程は、前記入力されたカッティングヘッドの位置決めを行う頻度に基づいて実施される、
カッティング方法。